(57)【特許請求の範囲】
【請求項１】
実質的に透明な下面（２０２）、
前記下面（２０２）の反対側に配置される上面（２０４）であって、その上に配置される第１スペキュラ層を有する上面（２０４）、並びに
前記下面（２０２）と前記上面（２０４）との間に延在する第１側面（２０６Ａ）であって、その少なくとも一部の上に配置される第２スペキュラ層を有し、前記第２スペキュラ層が、前記下面に近接する前記第１側面（２０６Ａ）の下方領域（２０８）上及び前記上面に近接する前記第１側面（２０６Ａ）の上方領域（２０７）上に配置される、第１側面（２０６Ａ）
を備え、
前記上面（２０４）が第１平面（２０４Ａ）及び第２平面（２０４Ｂ）を備え、前記第１平面が前記第１側面（２０６Ａ）と第１鋭角を形成し、前記第２平面が前記下面（２０２）と前記上面（２０４）との間に延在する第２側面（２０６Ｂ）と第２鋭角を形成して、光学装置の第１凹面を画定している、
光学装置（２００）。
【請求項２】
拡散層が前記下方領域（２０８）と前記上方領域（２０７）との間に配置される、請求項１に記載の光学装置（２００）。
【請求項３】
前記第１側面（２０６Ａ）が前記下方領域（２０８）と前記上方領域（２０７）との間で実質的に透明である、請求項１に記載の光学装置（２００）。
【請求項４】
前記第２スペキュラ層が、前記下面（２０２）に近接する前記第１側面（２０６Ａ）の下方領域（２０８）上及び前記上面（２０４）に近接する前記第１側面（２０６Ａ）の上方領域（２０７）上に配置され、第３スペキュラ層が、前記下面に近接する前記第２側面（２０６Ｂ）の下方領域上及び前記上面（２０４）に近接する前記第２側面（２０６Ｂ）の上方領域上に配置される、請求項１に記載の光学装置。
【請求項５】
照明装置であって、
請求項１に記載の光学装置（２００）、
前記光学装置（２００）の前記下面（２０２）に近接して配置されるＬＥＤアセンブリ（２１０）であって、光の１つ又は複数の波長を生成するために前記ＬＥＤアセンブリ（２１０）の出力が混合される、ＬＥＤアセンブリ（２１０）、及び
前記光学装置（２００）の前記第１側面（２０６Ａ）に近接して配置されるリフレクタ（３１０）であって、第２スペキュラ層が前記第１側面（２０６Ａ）の一部の上に配置される、リフレクタ（３１０）
を備える照明装置。
【請求項６】
前記第２スペキュラ層が、前記下面に近接する前記第１側面の下方領域上及び前記上面に近接する前記第１側面の上方領域上に配置される、請求項５に記載の照明装置。
【請求項７】
拡散層が前記下方領域と前記上方領域との間に配置される、請求項６に記載の照明装置。
【請求項８】
前記第１側面が、前記下方領域と前記上方領域との間で実質的に透明である、請求項６に記載の照明装置。
【請求項９】
前記上面が前記光学装置の第１凹面を画定する、請求項５に記載の照明装置。
【請求項１０】
前記リフレクタ（３１０）の開口部にわたって配置される少なくとも１つのレンズ（３２０）を更に備える、請求項５に記載の照明装置。
【請求項１１】
第３スペキュラ層が、前記下面に近接する前記第２側面の下方領域上及び前記上面に近接する前記第２側面の上方領域上に配置される、請求項５に記載の照明装置。
【請求項１２】
請求項１に記載の光学装置（２００）を用いて光を混合する方法であって、
前記下面（２０２）の反対側に配置される前記光学装置（２００）の前記上面（２０４）に向けて、前記光学装置（２００）の前記下面（２０２）に光を通すこと、
前記上面（２０４）に配置される第１スペキュラ層を介して前記光を反射させること、
混合光を生成するため、前記下面（２０２）と前記上面（２０４）との間に延在する前記光学装置（２００）の第１側面（２０６Ａ）の一部の上に配置される第２スペキュラ層を介して前記光を反射させること、及び
前記第１側面（２０６Ａ）に前記混合光を通すこと
を含む方法。
【請求項１３】
拡散光を生成するため、前記第１側面（２０６Ａ）上に配置される拡散層に前記混合光を通すこと、及び
前記光学装置（２００）に近接して配置されるリフレクタ（３１０）を介して目標位置に向けて前記拡散光を反射させること
を更に含む、請求項１２に記載の方法。
【請求項１４】
前記混合光を生成することが、前記下面（２０２）と前記上面（２０４）との間に延在する前記光学装置の第２側面（２０６Ｂ）上に配置される第３スペキュラ層を介して前記光を反射させることを更に含む、請求項１２に記載の方法。
【請求項１５】
前記第１側面（２０６Ａ）が前記下方領域（２０８）と前記上方領域（２０７）との間で実質的に透明である、請求項１２に記載の方法。
【発明の詳細な説明】
【技術分野】
【０００１】
本開示は、概して照明システムに関し、より具体的には、光混合用光学装置に関する。
【背景技術】
【０００２】
色精度、装置の寿命、エネルギー効率、及び製造コストの改善を含む、発光ダイオード（ＬＥＤ）技術における最近の進歩により、ＬＥＤは、多くの照明用途において人気の選択肢となっている。具体的には、ＬＥＤ技術は、エネルギー効率、大きさ、及び／又は色精度が重要である照明用途において一般的に使用される。例えば、自動車及び航空用途などのモバイル用途では、大きさとエネルギー効率は、照明システムを選択するときに考慮される重要な要因である。
【０００３】
ＬＥＤ技術を利用する照明システムは、白光を生成するために通常混色技術を使用する。例えば、ＬＥＤ照明システムは、赤、緑、及び青（ＲＧＢ）のＬＥＤを含む場合があり、その出力が混合して、見かけは実質的に白色の光が生成される。従来の照明システムでは、ＲＧＢのＬＥＤそれぞれによって発せられる光をＬＥＤ照明モジュールから最小限の距離だけ離れた（例えば、１から３フィート）表面上に投影することによって、ＲＧＢ光が混合されて白光が生成される。光が投影される表面が、ＬＥＤ照明モジュールから少なくとも最小限の距離だけ離れている場合、均一の白光を得ることができる。しかしながら、この最小限の距離よりも近い距離で光が表面に投影される場合、色の混合は不完全又は不均一となる場合があり、入射光の色の滲み及び／又はスカロッピング（ｓｃａｌｌｏｐｉｎｇ）が生じる結果となる。このような不均一により、通常、ＬＥＤ照明モジュールが光混合に必要とされる最小限の距離でターゲット表面から離されることが妨げられる。
【０００４】
したがって、光混合技術が改善されれば、様々な照明用途及び関連装置に役に立つことになる。
【発明の概要】
【０００５】
本開示の１つの態様によると、光学装置は、実質的に透明な下面と、下面の反対側に配置される上面であって、その上に配置される第１スペキュラ層を有する上面とを含む。光学装置は、下面と上面との間に延在する第１側面であって、その少なくとも一部の上に配置される第２スペキュラ層を有する第１側面を更に含む。
【０００６】
本開示の別の態様によると、照明装置は、光学装置及びリフレクタを含む。光学装置は、実質的に透明な下面と、下面の反対側に配置される上面であって、その上に配置される第１スペキュラ層を有する上面とを含む。光学装置は、下面と上面との間に延在する第１側面を更に含む。リフレクタは、光学装置の第１側面に近接して配置される。
【０００７】
本開示の更に別の態様によると、光を混合する方法は、下面の反対側に配置される光学装置の上面に向けて、光学装置の下面に光を通すことと、上面に配置される第１スペキュラ層を介して光を反射させることとを含む。この方法は、混合光を生成するため、下面と上面との間に延在する光学装置の第１側面の一部の上に配置される第２スペキュラ層を介して光を反射させることと、第１側面に混合光を通すこととを更に含む。
【図面の簡単な説明】
【０００８】
【図１Ａ】本開示の態様に係る、民間旅客機の客室の概略断面図を示す。
【図１Ｂ】本開示の態様に係る、民間旅客機の客室の概略断面図を示す。
【図１Ｃ】本開示の態様に係る、民間旅客機の客室の内部アーキテクチャ内に配置される照明モジュールを示す。
【図２Ａ】本開示の態様に係る、光学装置及びＬＥＤアセンブリの概略断面図を示す。
【図２Ｂ】本開示の態様に係る、図２Ａの光学装置の概略斜視図を示す。
【図３Ａ】本開示の態様に係る、リフレクタに近接して配置される図２Ａと図２Ｂの光学装置の概略断面図を示す。
【図３Ｂ】本開示の態様に係る、図２Ａと図２Ｂの光学装置によって放出され得る光線の通り道を示す。
【図３Ｃ】本開示の態様に係る、図２Ａと図２Ｂの光学装置によって放出され得る光線の通り道を示す。
【図４】本開示の態様に係る、光を混合する方法のフロー図である。
【発明を実施するための形態】
【０００９】
図１Ａと図１Ｂは、本開示の態様に係る、民間旅客機の客室の概略断面図を示す。客室１００は、床パネル１０２、一対の側壁部材又はパネル１０４及び１０６、天井構造体１１０、並びに複数の乗客用座席１１２を含む。客室１００は、複数のアウトボードストレージ（ｏｕｔｂｏａｒｄ  ｓｔｏｒａｇｅ）／荷物棚１３０Ａ及び１３０Ｂを更に含んでもよい。棚１３０Ａ及び１３０Ｂは、側壁部材１０４、１０６と天井構造体１１０の交差部分の近くに位置決めされる。
【００１０】
図１Ａと図１Ｂで示されるように、単通路型航空機の天井構造体１１０は、一般的に湾曲したアーチ型形状を有する。湾曲した構成は、アウトボードストレージ棚１３０Ａ及び１３０Ｂに直近するように位置決めされる壁部材１３３、１３４との交差部分から始まる。天井構造体１１０は、天井構造体１１０の両側に一対のＬＥＤ照明モジュール１４０Ａ、１４０Ｂを含む。ＬＥＤ照明モジュール１４０Ａ、１４０Ｂは、天井構造体１１０の内表面を照射する。他の航空機構成では、追加のＬＥＤ照明モジュールが、同様に荷物／ストレージ棚１３０Ｂ及び１３０Ａの表面を照射するために利用されてもよい。
【００１１】
図１Ａと図１Ｂで示される客室構成では、各ＬＥＤ照明モジュール１４０Ａ、１４０Ｂは、ＬＥＤ照明モジュール１４０Ａ、１４０Ｂによって照射される天井構造体１１０の一部から約６から１２インチの距離で離間される。この距離により、ＬＥＤ照明モジュール１４０Ａ、１４０Ｂに含まれる各ＬＥＤ（例えば、赤ＬＥＤ、緑ＬＥＤ、及び青ＬＥＤ）によって出力される光が、光の通り道における表面に当たる前に、混合されて、見かけは実質的に白色の光が生成されることが可能になる。したがって、以下で説明されるＬＥＤアセンブリ２１０を含む様々な種類のＬＥＤ照明モジュールは、この客室構成における天井構造体１１０に実質的に均一の白光を投影するために使用されてもよい。
【００１２】
ＬＥＤ技術は、新しい用途に対して継続的に適合される。しかしながら、これらの多くの用途では、ＬＥＤ照明モジュールと、ＬＥＤ照明モジュールからの光が投影される１つ又は複数の表面との間で十分な分離距離が許容されない。十分な分離距離が維持されない用途では、従来のＬＥＤ照明モジュールによって投影される光は、図１Ｃと関連して以下で説明されるように、不完全な色混合に起因して色の滲み及び／又はスカロッピングが出る場合がある。
【００１３】
図１Ｃは、本開示の態様に係る、民間旅客機の客室１０１の内部アーキテクチャ１０５内に配置されるＬＥＤ照明モジュール１４２を示す。図示のように、客室１０１は、ストレージ棚１３２、並びにストレージ棚１３２の上及び／又は下に位置する１つ又は複数のパネル構造体１０７を含む。パネル構造体１０７は、ＬＥＤ照明モジュール１４２が配置され得る内装アーキテクチャ１０５を含む。内装アーキテクチャ１０５と客室１０１との間に開口部１６０（例えば、約０．５インチ幅）を形成する表面１５０Ａ、１５０Ｂは、ＬＥＤ照明モジュール１４２から約１から２インチ離れたところに位置する。ＬＥＤ照明モジュール１４２が、光が投影される表面１５０Ａ、１５０Ｂに近接するため、ＬＥＤ照明モジュール１４２が従来の光学装置を使用した場合、従来の光学装置から放出される光は、表面１５０Ａ、１５０Ｂに当たるときに混合が不十分となる場合がある。結果として、上述のように表面１５０Ａ、１５０Ｂで色の滲み及び／又はスカロッピングが出る場合がある。このような照明の不均一によって、外観が損なわれ、及び／又は、アンビエント照明によって生成されることが意図される特定の態様が妨げられる場合がある。更に、従来の光学を有するＬＥＤ照明モジュールが、自動車用途、個人用モバイル装置、アンビエント照明などの他の用途で使用されるとき、似たような不均一が生じる場合がある。
【００１４】
したがって、本開示は、様々な光混合技術を説明する。これらの技術は、光がＬＥＤ照明モジュールから出る前又は出た直後に、ＬＥＤ照明モジュールによって生成される光を混合して実質的に白い光を生成することを確実に行うことに役立つ。このような混合技術は、ＬＥＤ照明モジュールが、光が投影される表面の近く（例えば、約６インチ未満の距離）に位置決めされるとき、並びにＬＥＤ照明モジュールが、光が投影される表面からより離れた距離（例えば、約６インチより大きい距離）に位置決めされるとき、卓越した光混合及び／又は色均一性を得ることに役立つ。結果として、本明細書に説明される技術は、光混合が望まれる、広い範囲のモバイル（例えば、航空、自動車など）及び非モバイル（例えば、居住用ビル、商業用ビル、野外など）の照明用途に対して適用することができる。このような技術は、図２Ａから図４に関連して以下で更に詳細に説明される。
【００１５】
光混合用光学装置
図２Ａは、本開示の態様に係る、光学装置２００及びＬＥＤアセンブリ２１０の概略断面図を示す。図示のように、光学装置２００は、下面２０２Ａ、２０２Ｂ、２０２Ｃ（まとめて「下面２０２」）、上面２０４Ａ、２０４Ｂ（まとめて「上面２０４」）、及び側面２０６Ａ、２０６Ｂを有する本体２０１を含む。ＬＥＤアセンブリ２１０は、光学装置２００の下面２０２に近接して配置される。幾つかの態様では、ＬＥＤアセンブリ２１０は、赤、緑、及び／又は青（ＲＧＢ）のＬＥＤを含み、その出力が混合して、見かけは実質的に白色の光が生成される。他の態様では、ＬＥＤアセンブリ２１０は、黄色及び／又は紫外線（ＵＶ）などの他のＬＥＤ色、並びに／或いは、可視スペクトルに含まれる及び／又は可視スペクトルの外部の１つ又は複数の光の波長を生成するために光が混合されることを可能にする他の光学コンポーネント（例えば、蛍光体）を含んでもよい。光学装置２００の本体２０１は、透明ポリマー（例えば、ポリカーボネート、アクリルなど）、ガラス、結晶性材料などの実質的に透明な材料を含んでもよい。光学装置２００は、接着剤、インターロック構造、及び／又は１つ又は複数のファスナ（図２Ａでは図示せず）を含む実用的手段を使用して基板２１１及び／又はＬＥＤアセンブリ２１０に取り付けられてもよい。更に、光学装置２００は、図３Ａに関連して以下で更に詳しく説明されるように、リフレクタに取付けられてもよい。
【００１６】
様々な態様では、光学装置２００の下面２０２は実質的に透明であり、光学装置２００の上面２０４は、上面２０４に配置される反射フィルム又は被膜（例えば、銀、アルミニウム、合金など）のスペキュラ層を含む。このような態様では、ＬＥＤアセンブリ２１０によって放出される光（例えば、ＲＧＢ光）は、下面２０２を通過し、光学装置２００に入る。一旦光が光学装置２００に入ると、光は、光学装置２００を出る前に光学装置２００の１つ又は複数の内装表面で反射する。例えば、光は、側面２０６Ａ、２０６Ｂのうちの１つ又はその両方に向かうように上面２０４で反射してもよい。光は、更に側面２０６Ａ、２０６Ｂ（例えば、全内部反射を介して）で反射する場合があり、それにより、光学装置２００内の光混合の度合いが更に改善される。したがって、１つ又は複数のスペキュラ層を、光学装置２００の上面２０４、及び幾つかの態様では、光学装置２００の１つ又は複数の側面２０６Ａ、２０６Ｂに配置することにより、光は、光学装置２００を出る前に１つ又は複数の内装表面で反射することができる。１つ又は複数の内装表面で光が反射することにより、光混合の度合いが増し、光学装置２００からより均一な光が放出されることが可能になる。更に、光学装置２００から光を放出する前に光混合の度合いが増すことにより、光の均一性を依然として十分に維持しながらも、光学装置２００を、光が投影される表面に近接するように位置決めすることが可能になる。
【００１７】
幾つかの態様では、ＬＥＤアセンブリ２１０によって放出される光線の一部が、光学装置２００の内部の任意の表面で反射する前に、光学装置２００を出る場合がある。しかしながら、このような態様では、光学装置２００の寸法、並びに光学装置２００の表面２０４上のスペキュラ層の位置は、反射せずに光学装置２００を通して伝送される光の量を減らすように選択される場合があり、それにより、光が光学装置２００を出る前（又は出た直後）に十分に混合される。例えば、幾つかの態様では、光が光学装置２００を出る前に光の反射回数を増やすため（例えば、光混合の量を増やすため）に、１つ又は複数のスペキュラ層を側面２０６Ａ及び／又は側面２０６Ｂ上に配置してもよい。例えば、スペキュラ層（例えば、反射フィルム）は、側面２０６Ａ及び／又は側面２０６Ｂの上方部分２０７上に配置してもよく、それにより、光が側面２０６Ａ及び／又は側面２０６Ｂの上方部分２０７の内装表面に当たり、光学装置２００の内装に向かって折り返し反射する。同じ態様又は他の態様では、スペキュラ層を側面２０６Ａ及び／又は側面２０６Ｂの下方部分２０８上に配置してもよい。更に、上述の任意の態様は、光学装置２００の上面２０４に配置される１つ又は複数のスペキュラ層を更に含んでもよい。
【００１８】
側面２０６Ａ及び／又は側面２０６Ｂの上方部分２０６及び下方部分２０８の両方に配置されるスペキュラ層を含む態様では、実質的に透明な領域２０９が上方部分２０６と下方部分２０８との間に配置されてもよい。このような態様では、上方部分２０６及び下方部分２０８に配置されるスペキュラ層によって、光が光学装置２００を出る前に生じる反射回数が増える場合があり、それにより、光混合の効率が更に向上する。更に、上方部分２０６と下方部分２０８との間に実質的に透明な領域２０９を配置することにより、このような態様は、より制御された態様で光を光学装置２００から放出することを可能にすることができる。例えば、光は、領域２０９によって画定されたより小さい孔を通して放出されてもよく、及び／又は、ＬＥＤアセンブリ２１０が配置される表面に対して、より浅い角度で光学装置２００から放出されてもよい。
【００１９】
スペキュラ層は、任意の実用的な技術を使用して光学装置２００上に配置してもよい。例えば、幾つかの態様では、スペキュラ層は、化学的又は物理的堆積技術を通して、光学装置２００の１つ又は複数の表面上に配置される。同じ態様又は他の態様では、積層処理などを通して、スペキュラ層を光学装置２００の１つ又は複数の表面に付着させることができる。
【００２０】
上述のスペキュラ層に加えて、又はそれに代えて、１つ又は複数の拡散層（ｄｉｆｆｕｓｅ  ｌａｙｅｒ）を光学装置２００の上及び／又はその内部に配置し、光混合を改善することができる。例えば、拡散層を光学装置２００の表面に配置し、光学装置２００を出る際に拡散光が複数の異なる角度で放出されるようにする場合があり、光混合が更に強化される。幾つかの態様では、拡散層を、２つのスペキュラ層に隣接して（例えば、領域２０９において又は領域２０９に近接して）配置してもよく、１つのスペキュラ層が側面２０６Ａ、２０６Ｂの上方部分２０６上に配置され、他のスペキュラ層が側面２０６Ａ、２０６Ｂの下方部分２０８上に配置される。他の態様では、拡散層は、側面２０６Ａ、２０６Ｂの上方部分２０６又は下方部分２０８の上に配置されるスペキュラ層の上（又は下）に位置する。更に他の態様では、スペキュラ層は、光学装置２００の上面２０４に配置され、拡散層は、側面２０６Ａ、２０６Ｂのうちの１つ又はその両方の一部又は表面領域全体に配置される。
【００２１】
上述の拡散層は、光学装置２００の所与の表面に対して、複数の異なる方向に光を反射及び／又は拡散させる粗面領域であってもよい。例えば、光学装置２００の１つ又は複数の表面は、物理的研磨、化学エッチング、パターニングなど、拡散面を生成するために処理されてもよい。更に、付着、化学的堆積、物理的堆積などを通して拡散層を光学装置２００の１つ又は複数の表面の上に堆積、さもなければ配置してもよい。例えば、上述の拡散層は、光学装置２００の１つ又は複数の表面に付着する又はその上に形成される一連の光学素子（例えば、マイクロレンズ）を含む場合があり、それにより、所与の表面を通過する光の通り道が変更され、光混合が促進される。同じ態様又は他の態様では、光混合を強化することができる他の種類の拡散層を使用してもよい。
【００２２】
幾つかの態様では、上面２０４は光学装置２００の凹面を画定する。このような実装形態では、光学装置２００は凹多面体を含んでもよい。例えば、図２Ａで示されるように、上面２０４の１つ又は複数の面（例えば、２０４Ａ及び／又は２０４Ｂ）は、光線が光学装置２００の側面に向かって上面２０４で反射するように、側面２０６Ａ、２０６Ｂと鋭角を形成してもよい。更に、スペキュラ膜が側面２０６Ａ、２０６Ｂのうちの１つ又はその両方の上に配置される場合、光は、光学装置２００内の側面２０６Ａ、２０６Ｂで反射し続ける場合がある。したがって、光学装置２００内の光の通り道の長さが延長される場合があり、それにより、光が光学装置２００を出る前に光混合が生じる度合が増す。
【００２３】
図２Ａと図２Ｂでは単一の凹面が示されているが、他の態様では、複数の凹面が光学装置２００の上面２０４に含まれてもよい。例えば、複数のＶ字型表面２０４Ｃ（例えば、鋸歯型パターン）が上面２０４に含まれてもよい。更に、１つ又は複数の楕円形状凹面２０４Ｄが、図２Ａと図２Ｂで示される平面状凹面の代わりに、又はそれに加えて、上面２０４に含まれてもよい。更に他の例では、上述の任意の形状を有する凸面は、上面２０４に含まれてもよい。
【００２４】
光が光学装置２００から放出される表面領域（実質的に透明な領域（例えば、領域２０９）及び／又は拡散層が配置される領域を含む）は、特定の照明用途に必要とされる光放出特性に従って形成されてもよい。例えば、実質的に透明な領域及び／又は光が放出される拡散層は、光が、特定の方向に放出される及び／又は光学装置２００の特定の表面領域から放出されるように形成（例えば、円形、楕円形など）されてもよい。幾つかの例では、１つ又は複数の実質的に透明な領域及び／又は円形、楕円形などの形状を有する拡散層は、光学装置２００上に配置されてもよく、これらの領域／層は、１つ又は複数のスペキュラ層に囲まれてもよい。したがって、光が実質的に透明な領域又は拡散層に到達し、そこを通して放出されるまで、光は光学装置２００内で反射して混合される場合がある。一旦混合光が実質的に透明な領域又は拡散層を通して放出されると、光は、光学装置２００によって照射されるように意図される１つ又は複数の表面（例えば、客室１０１又は自動車に含まれる天井構造体又はパネル）に向けて（例えば、リフレクタを介して）方向付けられる場合がある。
【００２５】
図２Ｂで示されるように、光学装置２００は、光学装置２００の幅２２２及び／又は高さ２２４よりも大きい長さ２２０に沿って延在してもよい。このような態様では、約６から４８インチなど、約１から６０インチの長さ２２０が使用されてもよい。更に、約０．１から２インチの幅２２２、及び約２から３インチなど、約０．５から４インチの高さが使用されてもよい。他の態様では、より大きい又は小さい長さ２２０、幅２２２、及び／又は高さ２２４を使用してもよく、及び／又は、光学装置２００の対応する寸法は異なってもよい。例えば、幾つかの態様では、高さ２２４及び／又は幅２２２は、長さ２２０より大きい場合がある。更に、特定の照明用途に適するように、光学装置２００の全体的な大きさを増加又は減少させてもよい。
【００２６】
図２Ａでは、単一のＬＥＤアセンブリ２１０だけが示されるが、任意の数のＬＥＤアセンブリ２１０を光学装置２００の１つ又は複数の表面に近接するように配置してもよい。例えば、複数のＬＥＤアセンブリ２１０を光学装置２００の長さ２２０及び／又は幅２２２に沿って互いに隣接するように配置してもよい。例えば、１つ又は複数のＬＥＤアセンブリ２１０は、光学装置２００の長さ２２０に沿って各位置２１２に位置してもよい。複数のＬＥＤアセンブリ２１０が光学装置２００の長さ２２０に沿って配置される態様では、ＬＥＤアセンブリ２１０は、比較的均一な光分散を確実にするために、約１から３インチごとなど、約０．５から６インチごとに配置されてもよい。他の態様では、光学装置２００の長さ２２０に沿った特定の位置に光が望まれるときなどに、ＬＥＤアセンブリ２１０を互いにより近く又は互いからより離して離間してもよい。
【００２７】
図３Ａは、本開示の態様に係る、リフレクタ３１０に近接して配置される図２Ａと図２Ｂの光学装置２００の概略断面図を示す。図示のように、光学装置２００は、光学装置２００によって放出される光線の方向を制御するためにリフレクタ３１０内に配置される。更に、レンズ３２０を光学装置及び／又はリフレクタ３１０の上に配置してもよい。幾つかの態様では、レンズ３２０は、１つ又は複数の凸面レンズなどの収束素子を含んでもよい。例えば、レンズ３２０は、光を特定の方向に方向付ける収束レンズ又は発散レンズを含んでもよい。他の態様では、レンズ３２０は、放出された光を複数の方向に方向付ける複数のより小さいレンズ（例えば、マイクロレンズ）を含んでもよい。同じ態様又は同じ態様では、レンズ３２０は、光混合を強化する及び／又は光学装置２００より放出される光を和らげる１つ又は複数の拡散領域を含んでもよい。
【００２８】
図３Ｂと図３Ｃは、本開示の態様に係る、図２Ａと図２Ｂの光学装置２００によって放出され得る光線の通り道を示す。図３Ｂで示されるように、光源３３０（例えば、ＬＥＤアセンブリ２１０）から放出される幾つかの光線は、光学装置２００に入り、光学装置２００の上面２０４で反射し、光学装置２００を出て、リフレクタで反射し、ターゲット位置３５０に向かう。光源３３０から放出される他の光線は、光学装置２００を通過するときに屈折し、次いで、リフレクタで反射してターゲット位置３５０に向かう。したがって、光線の通り道は、互いに重なり合う場合があり、それにより、光が、光学装置２００及びリフレクタ３１０を出る前及び／又はそこから出た直後に混合されることが可能になる。図３Ｂでは示されないが、１つ又は複数のスペキュラ層が光学装置２００の側面２０６Ａ、２０６Ｂ上に配置されるとき、更なる反射が起こる（次いで、更なる光混合が達成される）場合がある。
【００２９】
図４は、本開示の態様に係る、光を混合する方法４００のフロー図である。方法４００は、図２Ａから図３Ｃに関連して説明されるが、当業者であれば、任意の適切な順序でこの方法を実行するように構成される任意のシステムは、本開示の範囲内に入ることを理解されよう。
【００３０】
方法４００は、ステップ４１０で始まる。ステップ４１０では、光源（例えば、ＬＥＤアセンブリ２１０）が光学装置２００の第１表面（例えば、下面２０２）に光を通す。ステップ４２０では、光学装置２００の第２表面（例えば、上面２０４）上に配置されるスペキュラ層が、光学装置２００の内装部分に向けて光を折り返し反射する。次いで、ステップ４３０では、光学装置２００の１つ又は複数の表面（例えば、側面２０６Ａ及び／又は側面２０６Ｂ）上に配置される１つ又は複数のスペキュラ層は、光を反射し、混合光が生成される。
【００３１】
次に、ステップ４４０では、混合光が、実質的に透明な領域（例えば、表面領域２０９）を通過し、光学装置２００を出てもよい。光が実質的に透明な領域を通過し、光学装置２００を出ることに加えて、又はその代わりに、ステップ４４５では、光は、拡散層（例えば、表面領域２０９に位置する又は表面領域２０９に近接する）を通過し、光学装置２００を出てもよい。ステップ４５０では、光学装置２００から放出される光は、任意選択的なリフレクタ３１０で反射し、ターゲット位置３５０に向かう。次いで、方法４００は終了する。
【００３２】
更に、本開示は下記の条項に係る態様を含む。
【００３３】
条項１
実質的に透明な下面、下面の反対側に配置される上面であって、その上に配置される第１スペキュラ層を有する上面、及び下面と上面との間に延在する第１側面であって、その少なくとも一部の上に配置される第２スペキュラ層を有する第１側面を備える光学装置。
【００３４】
条項２
第２スペキュラ層が、下面に近接する第１側面の下方領域上及び上面に近接する第１側面の上方領域上に配置される、光学装置。
【００３５】
条項３
拡散層が下方領域と上方領域との間に配置される、光学装置。
【００３６】
条項４
第１側面が下方領域と上方領域との間で実質的に透明である、光学装置。
【００３７】
条項５
複数のレンズが下方領域と上方領域との間の第１側面上に配置される、光学装置。
【００３８】
条項６
上面が、第１側面と鋭角を形成する第１平面を備える光学装置。
【００３９】
条項７
上面が、光学装置の第１凹面を画定する、光学装置。
【００４０】
条項８
凹多面体を備える光学装置。
【００４１】
条項９
上面が第１平面及び第２平面を備え、第１平面が第１側面と第１鋭角を形成し、第２平面が下面と上面との間に延在する第２側面と第２鋭角を形成する、光学装置。
【００４２】
条項１０
第２スペキュラ層が、下面に近接する第１側面の下方領域上及び上面に近接する第１側面の上方領域上に配置され、第３スペキュラ層が、下面に近接する第２側面の下方領域上及び上面に近接する第２側面の上方領域上に配置される、光学装置。
【００４３】
条項１１
実質的に透明な下面、下面の反対側に配置される上面であって、その上に配置される第１スペキュラ層を有する上面、及び下面と上面との間に延在する第１側面を備える光学装置、並びに光学装置の第１側面に近接して配置されるリフレクタを備える照明装置。
【００４４】
条項１２
第２スペキュラ層が第１側面の一部の上に配置される、照明装置。
【００４５】
条項１３
第２スペキュラ層が、下面に近接する第１側面の下方領域上及び上面に近接する第１側面の上方領域上に配置される、照明装置。
【００４６】
条項１４
拡散層が下方領域と上方領域との間に配置される、照明装置。
【００４７】
条項１５
第１側面が下方領域と上方領域との間で実質的に透明である、照明装置。
【００４８】
条項１６
上面が光学装置の第１凹面を画定する、照明装置。
【００４９】
条項１７
光学装置が凹多面体を備える照明装置。
【００５０】
条項１８
リフレクタの開口部にわたって配置される少なくとも１つのレンズを更に備える照明装置。
【００５１】
条項１９
光を混合する方法であって、下面の反対側に配置される光学装置の上面に向けて、光学装置の下面に光を通すことと、上面に配置される第１スペキュラ層を介して光を反射させることと、混合光を生成するため、下面と上面との間に延在する光学装置の第１側面の一部の上に配置される第２スペキュラ層を介して光を反射させることと、第１側面に混合光を通すこととを含む方法。
【００５２】
条項２０
拡散光を生成するため、第１側面上に配置される拡散層に混合光を通すことと、光学装置に近接して配置されるリフレクタを介して目標位置に向けて拡散光を反射させることとを更に含む方法。
【００５３】
条項２１
混合光を生成することが、下面と上面との間に延在する光学装置の第２側面上に配置される第３スペキュラ層を介して光を反射させることを更に含む方法。
【００５４】
本開示の様々な態様の説明は、例示を目的として提示されているものであり、網羅的な説明であること、又は開示された態様に限定されることを意図していない。当業者には、記載の態様の範囲及び精神から逸脱することなく、多数の修正例及び変更例が明らかであろう。本明細書で使用された用語は、態様の原理、市場で見られる技術に対する実用的適用又は技術的改善を最もよく説明するため、及び他の当業者に対して本明細書で開示された態様の理解を促すために選択されている。
【００５５】
以下では、本開示で提示された態様が参照される。しかしながら、本開示の範囲は、特定の記載された態様に限定されない。代わりに、以下の特徴及び要素の任意の組み合わせは、異なる態様と関連しているかどうかに関わらず、想定される態様を実施し、且つ実践することが想定される。更に、本明細書に開示される態様は、他の可能な解決策又は先行技術に対して優位に立つ場合があるが、所与の態様によって特定の利点が達成されるかどうかということは、本開示の範囲を限定することではない。したがって、以下の態様、特徴、態様及び利点は、例示に過ぎず、特許請求の範囲で明示的に記載されていない限り、特許請求の範囲の想定される要素又は限定ではない。同様に、「発明」を参照することは、本明細書で開示される任意の発明主題の一般化であると理解するべきではなく、特許請求の範囲で明示的に記載されていない限り、特許請求の範囲の要素又は限定であるとみなすべきではない。
【００５６】
本発明の態様は、全体的にハードウェアの態様、全体的にソフトウェアの態様（ファームウェア、常駐ソフトウェア、及びマイクロコードなどを含む）、又はソフトウェアとハードウェアの態様を組み合わせた態様の形態をとる場合があり、これら全ては、本明細書において概して「回路」、「モジュール」、又は「システム」と呼ぶことができる。
【００５７】
図面のフロー図及びブロック図は、本発明の様々な態様によるシステム及び方法の可能な実装態様の機能性及び操作を示す。幾つかの代替的な実装形態では、ブロックに記載された機能は図面に記載された順序を逸脱して実行されることがある。例えば、連続して示される２つのブロックは、実際には実質的に同時に実行されてもよく、或いは、関与する機能によってはブロックは時々逆順に実行されてもよい。
【００５８】
以上は本発明の態様を対象としているが、本発明の他の態様及び更なる態様は、本発明の基本的な範囲から逸脱せずに考案してもよく、本発明の範囲は、以下の特許請求の範囲によって決定される。
【図１Ａ】
0006594091.tif 000002
【図１Ｂ】
0006594091.tif 000003
【図１Ｃ】
0006594091.tif 000004
【図２Ａ】
0006594091.tif 000005
【図２Ｂ】
0006594091.tif 000006
【図３Ａ】
0006594091.tif 000007
【図３Ｂ】
0006594091.tif 000008
【図３Ｃ】
0006594091.tif 000009
【図４】
0006594091.tif 000010